(57)【要約】【課題】  本発明は、従来にない作用効果を発揮する画期的な足場装置を提供することを目的とする。【解決手段】  消波ブロック成形用型枠１の周面に形成されるフランジ３に添設され、このフランジ３に設けられる孔４に合致し得る孔５を有する添設部６を有し、この添設部６の孔５とフランジ３の孔４とが合致して形成される合致孔に固定用棒材９を嵌挿することで消波ブロック成形用型枠１に対して固定し得るように構成したものである。【選択図】      図３
2005290791.tif 000002
【特許請求の範囲】
【請求項１】
テトラポット成形用型枠の周面に形成されるフランジに添設され、このフランジに設けられる孔に合致し得る孔を有する添設部を有し、この添設部の孔とフランジの孔とが合致して形成される合致孔に固定用棒材を嵌挿することでテトラポット成形用型枠に対して固定し得るように構成したことを特徴とする足場装置。
【請求項２】
上方突状部と、この上方突状部の下方に分岐する複数の下方突状部とから成るテトラポット成形用型枠の少なくとも下方突状部の上面部に載置される足場体を設け、この足場体に、テトラポット成形用型枠の周面に形成されるフランジに添設され、このフランジに設けられる孔に合致し得る孔を有する添設部を設け、この添設部の孔とフランジの孔とが合致して形成される合致孔に固定用棒材を嵌挿することでテトラポット成形用型枠に対して固定し得るように前記足場体を構成したことを特徴とする足場装置。
【請求項３】
前記足場体は、少なくとも下方突状部の上面部に形成されて該下方突状部の突出方向に長さを有するフランジの上方位置から回避した側方位置に載置されるように構成したことを特徴とする請求項２記載の足場装置。
【請求項４】
前記足場体は、少なくとも下方突状部の上面部に載置される載置部に足載せ部を多段に並設した構成であり、下方突状部の上面部に載置した際、足載せ部が水平状態となるように前記載置部を構成したことを特徴とする請求項２，３のいずれか１項に記載の足場装置。
【請求項５】
上方突状部と、この上方突状部の下方に分岐する複数の下方突状部とから成るテトラポット成形用型枠の少なくとも下方突状部の上面部に載置される足場体を設け、この足場体を、下方突状部の上面部に形成されて下方突状部の突出方向に並列状態となるフランジ同志間に架設係止し得るように構成したことを特徴とする足場装置。
【請求項６】
前記足場体に、テトラポット成形用型枠の周面に形成されるフランジに添設され、このフランジに設けられる孔に合致し得る孔を有する添設部を設け、この添設部の孔とフランジの孔とが合致して形成される合致孔に固定用棒材を嵌挿することでフランジに対して固定し得るように前記足場体を構成したことを特徴とする請求項５記載の足場装置。
【発明の詳細な説明】
【技術分野】
【０００１】
本発明は、足場装置に関するものである。
【背景技術】
【０００２】
従来から、テトラポットを成形するテトラポット成形用型枠が提案されている。
【０００３】
このテトラポット成形用型枠１は、図１に図示したように上方突状部１Ａと、この上方突状部１Ａの下方に分岐する３つの下方突状部１Ｂとから成る中空体であり、複数の分割型枠２で構成されており、具体的には、この分割型枠２夫々の端部に突設されるフランジ３同志を重合させ、この重合させたフランジ３夫々に形成される孔４（合致孔）に棒材８（コッターピン）を嵌挿させることで分割型枠２同志を連結してテトラポット成形用型枠１を組み立てることができる。尚、本実施例と同一構成部分には同一符号を付した。
【発明の開示】
【発明が解決しようとする課題】
【０００４】
ところで、従来、このテトラポット成形用型枠１の型枠組み立て作業及び型枠分解作業は、テトラポット成形用型枠１の上に直接載って作業を行ったり、図１に図示したようにテトラポット成形用型枠１に立て掛けた梯子30に載って作業を行っている。
【０００５】
しかしながら、いずれの場合も、テトラポット成形用型枠１は鋼製故に非常に滑り易く危険であり、しかも、作業者はこの点を気にしながらの作業となる為、極めて作業能率が悪い（図１に図示したように梯子30を支える作業者をその都度用意していたのではコスト面に問題点が生じてしまう。）。これはテトラポット成形用型枠１が大きくなるほど顕著となる。
【０００６】
本出願人等は、前述した問題点に着目し、繰り返し実験・研究を繰り返し行い、その結果、従来にない作用効果を発揮する画期的な足場装置を開発した。
【課題を解決するための手段】
【０００７】
添付図面を参照して本発明の要旨を説明する。
【０００８】
テトラポット成形用型枠１の周面に形成されるフランジ３に添設され、このフランジ３に設けられる孔４に合致し得る孔５を有する添設部６を有し、この添設部６の孔５とフランジ３の孔４とが合致して形成される合致孔に固定用棒材９を嵌挿することでテトラポット成形用型枠１に対して固定し得るように構成したことを特徴とする足場装置に係るものである。
【０００９】
また、上方突状部１Ａと、この上方突状部１Ａの下方に分岐する複数の下方突状部１Ｂとから成るテトラポット成形用型枠１の少なくとも下方突状部１Ｂの上面部に載置される足場体15を設け、この足場体15に、テトラポット成形用型枠１の周面に形成されるフランジ３に添設され、このフランジ３に設けられる孔４に合致し得る孔５を有する添設部６を設け、この添設部６の孔５とフランジ３の孔４とが合致して形成される合致孔に固定用棒材９を嵌挿することでテトラポット成形用型枠１に対して固定し得るように前記足場体15を構成したことを特徴とする足場装置に係るものである。
【００１０】
また、前記足場体15は、少なくとも下方突状部１Ｂの上面部に形成されて該下方突状部１Ｂの突出方向に長さを有するフランジ３の上方位置から回避した側方位置に載置されるように構成したことを特徴とする請求項２記載の足場装置に係るものである。
【００１１】
また、前記足場体15は、少なくとも下方突状部１Ｂの上面部に載置される載置部15ａに足載せ部15ｂを多段に並設した構成であり、下方突状部１Ｂの上面部に載置した際、足載せ部15ｂが水平状態となるように前記載置部15ａを構成したことを特徴とする請求項２，３のいずれか１項に記載の足場装置に係るものである。
【００１２】
また、上方突状部１Ａと、この上方突状部１Ａの下方に分岐する複数の下方突状部１Ｂとから成るテトラポット成形用型枠１の少なくとも下方突状部１Ｂの上面部に載置される足場体17を設け、この足場体17を、下方突状部１Ｂの上面部に形成されて下方突状部１Ｂの突出方向に並列状態となるフランジ３同志間に架設係止し得るように構成したことを特徴とする足場装置に係るものである。
【００１３】
また、前記足場体17に、テトラポット成形用型枠１の周面に形成されるフランジ３に添設され、このフランジ３に設けられる孔４に合致し得る孔５を有する添設部６を設け、この添設部６の孔５とフランジ３の孔４とが合致して形成される合致孔に固定用棒材９を嵌挿することでフランジ３に対して固定し得るように前記足場体17を構成したことを特徴とする請求項５記載の足場装置に係るものである。
【発明の効果】
【００１４】
本発明は上述のように構成したから、例えばテトラポット成形用型枠の周辺で行われる作業が安全に且つ能率良く行えるなど極めて商品価値の高い画期的な足場装置となる。
【発明を実施するための最良の形態】
【００１５】
好適と考える本発明の実施形態を、図面に基づいて本発明の作用を示して簡単に説明する。
【００１６】
本発明は、添設部６をテトラポット成形用型枠１の周面に形成されるフランジ３に添設させ、この添設部６の孔５とフランジ３の孔４との合致孔に固定用棒材９を嵌挿することでテトラポット成形用型枠１に対して固定することができる。
【００１７】
従って、フランジ３に確実に固定された足場の上で作業が行える故に非常に安全であり、しかも、作業者は安心して作業が行えることになるため、作業能率を飛躍的に向上させることができ、そして更に、テトラポット成形用型枠１の既存のフランジ３を利用して固定するという効率の良い構造であるから、テトラポット成形用型枠１への設置作業性が良好なのは勿論、コスト安にして量産性にも秀れることになる。
【実施例１】
【００１８】
本発明の具体的な実施例１について図面に基づいて説明する。
【００１９】
本実施例は、テトラポット成形用型枠１の型枠組み立て作業，型枠分解作業に使用されるものである。
【００２０】
このテトラポット成形用型枠１は、前述した周知構造のものであり、円筒状の上方突状部１Ａと、この上方突状部１Ａの下方傾斜方向に分岐する複数（計３つ）の円筒状の下方突状部１Ｂとから成る中空体であり、複数の分割型枠２を組み合わせて構成されており、具体的には、この分割型枠２夫々の端部に突設されるフランジ３同志を重合させ、この重合させたフランジ３夫々に形成される孔４（合致孔）に棒材８（コッターピン）を嵌挿させて分割型枠２同志を連結することでテトラポット成形用型枠１は組み立てられる。尚、分割型枠２の組み合わせる数や形状はテトラポット成形用型枠１の大きさや形状によって異なる場合がある。
【００２１】
実際にこのテトラポット成形用型枠１を組み立てる作業は、図２に図示したように予め複数（４つ）の分割型枠２を連結して成る４つの型枠体11（３つの側方型枠体と１つの底型枠体）を得、この４つの型枠体11のうち、内面を上方に向けて敷設状態とした１つの型枠体11（底型枠体）の上部に３つの型枠体11（側方型枠体）をクレーン等で吊って立設状態に組み合わせ、この各型枠体11同志の重合させたフランジ３に棒材８を嵌挿して各型枠体11同志を連結することで行われる。また、この４つの型枠体11を組み合わせた際、テトラポット成形用型枠１の下方突状部１Ｂの先端部には円形の開口部が形成されることになり、この円形開口部１ａには円形の分割型枠２が連結される。尚、テトラポット成形用型枠１の上方突状部１Ａの先端部に開口する円形開口部は、テトラポット成形用型枠１内にコンクリートを充填するコンクリート充填部として開口した状態のままである。
【００２２】
符号13は底型枠体支持用の鋼製ベッドである。
【００２３】
以上のようにテトラポット成形用型枠１は、上方突状部１Ａと、この上方突状部１Ａの下方に分岐する３つの下方突状部１Ｂとから成り、テトラポット成形用型枠１の周面にはフランジ３が縦横に形成されている。
【００２４】
具体的には、上方突状部１Ａ及び下方突状部１Ｂの周面には、上方突状部１Ａ及び下方突状部１Ｂ夫々の上面（稜線）にして該上方突状部１Ａ及び下方突状部１Ｂ夫々の突出方向に長さを有する縦フランジ３Ａが形成され、また、上方突状部１Ａ及び下方突状部１Ｂ夫々の周面中央位置には、該上方突状部１Ａ及び下方突状部１Ｂ夫々の周方向に長さを有して前記縦フランジ３Ａと直交状態に連設する横フランジ３Ｂが形成され、更に、この上方突状部１Ａ及び下方突状部１Ｂ夫々の周面先端位置には、該上方突状部１Ａ及び下方突状部１Ｂ夫々の周方向に長さを有する補強フランジ３Ｃが形成されており、この補強フランジ３Ｃは、前述した横フランジ３Ｂと上下対向位置にして上方突状部１Ａ及び下方突状部１Ｂ夫々の突出方向に並列状態となるように設定されている。
【００２５】
また、テトラポット成形用型枠１に形成される各フランジ３には小フランジ３Ｄが一体形成され、この小フランジ３Ｄには、分割型枠２をクレーンで吊る際、クレーンに設けた連結具を連結するための孔４（連結孔）が形成されている。
【００２６】
本実施例は、前述したテトラポット成形用型枠１を構成する４つの型枠体11の型枠組み立て作業（フランジ３の孔４への棒材８の嵌挿作業），型枠分解作業（フランジ３の孔４に嵌挿される棒材８の除去作業）に使用されるもので、このテトラポット成形用型枠１に固定し得る足場体を設けている。
【００２７】
具体的には、図３に図示したようにテトラポット成形用型枠１を構成する下方突状部１Ｂの先端部に立て掛け固定される第一足場体14と、下方突状部１Ｂの上面部に載置固定される第二足場体15と、下方突状部１Ｂの上方部位と上方突状部１Ａの下方部位との間に架設状態に立て掛け固定される第三足場体16とで構成されている。
【００２８】
第一足場体14は、図４に図示したように下方突状部１Ｂの先端部に立て掛けし得る基部14ａと、この基部14ａに上下多段に並設される板状の足載せ部14ｂとで構成されている。
【００２９】
また、第一足場体14は、テトラポット成形用型枠１のフランジ３へ固定するための固定部７が設けられている。
【００３０】
この固定部７は、最上段の足載せ部14ｂの左右両端部に板材を突設し、この板材を前述した補強フランジ３Ｃの小フランジ３Ｄに添設される添設部６とし、この添設部６の孔５と小フランジ３Ｄの孔４とが合致して形成される合致孔に固定用棒材９を嵌挿することで小フランジ３Ｄに対して固定し得るように構成されている。第一足場体14は、この固定用棒材９として、分割型枠２同志を連結する際に使用される棒材８（コッターピン）をそのまま転用している。尚、符号10は固定用棒材９を固定する楔部材である。
【００３１】
第二足場体15は、図４に図示したように下方突状部１Ｂの上面部（傾斜面）に載置される載置部15ａと、この載置部15ａの長さ方向に多段に並設される板状の足載せ部15ｂと、載置部の一側に立設される手摺部15ｃとで構成されている。
【００３２】
この第二足場体15は、テトラポット成形用型枠１の下方突状部１Ｂの上面部に形成されて該下方突状部１Ｂの突出方向に長さを有する縦フランジ３Ａの上方位置から回避した側方所定位置に載置されるように構成されている。
【００３３】
具体的には、この下方突状部１Ｂの縦フランジ３Ａの上方位置から回避した側方所定位置である下り湾曲面に載置部15ａを載置するとともに、後述する固定部７により横フランジ３Ｂの小フランジ３Ｄに固定した際、足載せ部15ｂが水平状態となるよう、載置部15ａの下面が下方突状部１Ｂの傾斜湾曲面の勾配に合致する形状に設定されている（図５参照）。
【００３４】
これは、下方突状部１Ｂの上面部に形成される縦フランジ３Ａの孔４への棒材８の嵌挿作業及び除去作業は、前述した第一足場体14に載って行われるが、下方突状部１Ｂは上方突状部１Ａに向けて上り傾斜し且つ距離があるため全ての部位を第一足場体14上で行うことができない。
【００３５】
よって、後に上方突状部１Ａに形成される縦フランジ３Ａの孔４への棒材８の嵌挿作業及び除去作業を行うための第二足場体15に載って残りの部位に対する作業を行うことになるが、この際、第二足場体15が縦フランジ３Ａの上方位置にあったのでは縦フランジ３Ａの孔４への棒材８の嵌挿作業及び除去作業が困難となってしまう。
【００３６】
そこで、本実施例は、第二足場15を側方所定位置にずらすことにより前述した問題が生じることなく良好に作業が行えることになる。
【００３７】
また、第二足場体15は、テトラポット成形用型枠１のフランジ３へ固定するための固定部７が設けられている。
【００３８】
この固定部７は、最上段の足載せ部15ｂに板材を突設し、この板材を前述した横フランジ３Ｂの小フランジ３Ｄに添設される添設部６とし、この添設部６の孔５と小フランジ３Ｄの孔４とが合致して形成される合致孔に固定用棒材９を嵌挿することで小フランジ３Ｄに対して固定し得るように構成されている。第二足場体15は、この固定用棒材９として、分割型枠２同志を連結する際に使用される棒材８（コッターピン）をそのまま転用している。
【００３９】
第三足場体16は、図４に図示したように上方突状部１Ａの下方部位に立て掛けし得る基部16ａと、この基部16ａに上下多段に並設される板状の足載せ部16ｂとで構成されている。
【００４０】
また、第三足場体16は、テトラポット成形用型枠１のフランジ３へ固定するための固定部７が設けられている。
【００４１】
この固定部７は、最上段の足載せ部16ｂの左右両端部に板材を突設し、この板材を前述した縦フランジ３Ａに添設される添設部６とし、この添設部６の孔５と縦フランジ３Ａの孔４とが合致して形成される合致孔に固定用棒材９を嵌挿することで小フランジ３Ｄに対して固定し得るように構成されている。第三足場体16は、この固定用棒材９として、分割型枠２同志を連結する際に使用される棒材８（テーパーピン）をそのまま転用している。
【００４２】
以上の構成からなる本実施例に係る足場装置を使用したテトラポット成形用型枠１の型枠組み立て作業について説明する。
【００４３】
まず、前述したように４つの型枠体11を組み、下方突状部１Ｂの先端部の円形開口部１ａに分割型枠２を取り付ける。
【００４４】
続いて、第一足場体14を下方突状部１Ｂの先端部に立て掛け固定し、この第一足場体14に載って下方突状部１Ｂの上面下方部位に位置する縦フランジ３Ａの孔４へ棒材８の嵌挿作業を行う。
【００４５】
続いて、第二足場体15を、下方突状部１Ｂの上面部に縦フランジ３Ａの上方位置から回避した側方所定位置に載置固定し、この第二足場体15に載って下方突状部１Ｂの上面上方部位に位置する縦フランジ３Ａの孔４への棒材８の嵌挿作業を行うとともに（図６参照）、上方突状部１Ａの下方部位に位置する縦フランジ３Ａの孔４への棒材８の嵌挿作業を行う。
【００４６】
続いて、第三足場体16を、上方突状部１Ａの下方部位に立て掛け固定し（図７参照）、この第三足場体16に載って上方突状部１Ａの上方部位に位置する縦フランジ３Ａの孔４への棒材８の嵌挿作業を行うことになる（図８参照）。
【００４７】
この要領でテトラポット成形用型枠１の周面三箇所に形成される縦フランジ３Ａ全てに対して同様の作業を行うことで型枠体11同志の連結が完了する。
【００４８】
尚、この型枠体11の分解作業に際しては組み立て作業時と逆の工程で本装置を使用して作業を行えばよい。
【００４９】
本実施例は上述のように構成したから、フランジ３に確実に固定された足場の上で作業が行える故に非常に安全であり、しかも、作業者は安心して作業が行えることになるため、作業能率を飛躍的に向上させることができ、そして更に、テトラポット成形用型枠１の既存のフランジ３を利用して固定するという効率の良い構造であるから、テトラポット成形用型枠１への設置作業性が良好なのは勿論、コスト安にして量産性にも秀れることになる。
【００５０】
また、本実施例は、第一足場体14と、第二足場体15と、第三足場体16との分割された構造であるから、それだけ設置作業性に秀れることになり、しかも、搬送する際にも便利である。
【００５１】
また、本実施例は、第二足場体15は、少なくとも下方突状部１Ｂの上面部に形成されて該下方突状部１Ｂの突出方向に長さを有するフランジ３の上方位置から回避した側方位置に載置されるように構成したから、前述した第一足場体14では作業できなかった部位に対する良好な作業が行なえることになる。
【００５２】
また、本実施例は、第二足場体15は、少なくとも下方突状部１Ｂの上面部に載置される載置部15ａに足載せ部15ｂを多段に並設した構成であり、下方突状部１Ｂの上面部に載置した際、足載せ部15ｂが水平状態となるように載置部15ａを構成したから、より一層安全に作業が行なえることになる。
【実施例２】
【００５３】
本発明の具体的な実施例２について図面に基づいて説明する。
【００５４】
本実施例は、図９〜１３に図示したように上方突状部１Ａと、この上方突状部１Ａの下方に分岐する複数の下方突状部１Ｂとから成るテトラポット成形用型枠１の少なくとも下方突状部１Ｂの上面に載置される足場体17を設け、この足場体17を、下方突状部１Ｂの上面部に形成されて下方突状部１Ｂの突出方向に並列状態となるフランジ３同志間に架設係止し得るように構成したものである。
【００５５】
具体的には、足場体17は、図９に図示したように下方突状部１Ｂの上面部（傾斜面）に載置される載置部17ａと、この載置部17ａの長さ方向に多段に並設される板状の足載せ部17ｂとで構成されている。
【００５６】
載置部17ａは、下方突状部１Ｂの突出方向に並列状態となる横フランジ３Ｂ及び補強フランジ３Ｃ同志間に架設係止し得る架設棒材からなる係止部18が設けられており、この係止部18は、横フランジ３Ｂ及び補強フランジ３Ｃ夫々の小フランジ３Ｄに横ズレ防止状態で係止し得るように構成されている。
【００５７】
従って、下方突状部１Ｂの上部に載置するだけでテトラポット成形用型枠１に対して固定されることになり、特に高所作業となる上方突状部１Ａに形成される縦フランジ３Ａの孔４への棒材８の嵌挿作業及び除去作業が良好に行えることになる。
【００５８】
符号19は足場体17へ載るための門型足場である。
【００５９】
その余は実施例１と同様である。
【００６０】
尚、本発明は、実施例１，２に限られるものではなく、各構成要件の具体的構成は適宜設計し得るものである。
【図面の簡単な説明】
【００６１】
【図１】従来から行なわれている作業の説明図である。
【図２】テトラポット成形用型枠１を説明する分解斜視図である。
【図３】実施例１の説明図である。
【図４】実施例１を示す斜視図である。
【図５】実施例１に係る要部の説明図である。
【図６】実施例１の使用状態説明図である。
【図７】実施例１に係る要部の説明図である。
【図８】実施例１の使用状態説明図である。
【図９】実施例２を示す斜視図である。
【図１０】実施例２の説明図である。
【図１１】実施例２に係る要部の説明図である。
【図１２】実施例２の説明図である。
【図１３】実施例２の使用状態説明図である。
【符号の説明】
【００６２】
１  テトラポット成形用型枠
１Ａ  上方突状部
１Ｂ  下方突状部
２  分割型枠
３  フランジ
３Ａ  縦フランジ
３Ｂ  横フランジ
３Ｃ  補強フランジ
３Ｄ  小フランジ
４  孔
５  孔
６  添設部
９  固定用棒材
15  足場体
15ａ  載置部
15ｂ  足載せ部
17  足場体
【図１】
2005290791.tif 000003
【図２】
2005290791.tif 000004
【図３】
2005290791.tif 000005
【図４】
2005290791.tif 000006
【図５】
2005290791.tif 000007
【図６】
2005290791.tif 000008
【図７】
2005290791.tif 000009
【図８】
2005290791.tif 000010
【図９】
2005290791.tif 000011
【図１０】
2005290791.tif 000012
【図１１】
2005290791.tif 000013
【図１２】
2005290791.tif 000014
【図１３】
2005290791.tif 000015
【手続補正書】
【提出日】平成17年1月17日(2005.1.17)
【手続補正１】
【補正対象書類名】特許請求の範囲
【補正対象項目名】全文
【補正方法】変更
【補正の内容】
【特許請求の範囲】
【請求項１】
消波ブロック成形用型枠の周面に形成されるフランジに添設され、このフランジに設けられる孔に合致し得る孔を有する添設部を有し、この添設部の孔とフランジの孔とが合致して形成される合致孔に固定用棒材を嵌挿することで消波ブロック成形用型枠に対して固定し得るように構成したことを特徴とする足場装置。
【請求項２】
上方突状部と、この上方突状部の下方に分岐する複数の下方突状部とから成る消波ブロック成形用型枠の少なくとも下方突状部の上面部に載置される足場体を設け、この足場体に、消波ブロック成形用型枠の周面に形成されるフランジに添設され、このフランジに設けられる孔に合致し得る孔を有する添設部を設け、この添設部の孔とフランジの孔とが合致して形成される合致孔に固定用棒材を嵌挿することで消波ブロック成形用型枠に対して固定し得るように前記足場体を構成したことを特徴とする足場装置。
【請求項３】
前記足場体は、少なくとも下方突状部の上面部に形成されて該下方突状部の突出方向に長さを有するフランジの上方位置から回避した側方位置に載置されるように構成したことを特徴とする請求項２記載の足場装置。
【請求項４】
前記足場体は、少なくとも下方突状部の上面部に載置される載置部に足載せ部を多段に並設した構成であり、下方突状部の上面部に載置した際、足載せ部が水平状態となるように前記載置部を構成したことを特徴とする請求項２，３のいずれか１項に記載の足場装置。
【請求項５】
上方突状部と、この上方突状部の下方に分岐する複数の下方突状部とから成る消波ブロック成形用型枠の少なくとも下方突状部の上面部に載置される足場体を設け、この足場体を、下方突状部の上面部に形成されて下方突状部の突出方向に並列状態となるフランジ同志間に架設係止し得るように構成したことを特徴とする足場装置。
【請求項６】
前記足場体に、消波ブロック成形用型枠の周面に形成されるフランジに添設され、このフランジに設けられる孔に合致し得る孔を有する添設部を設け、この添設部の孔とフランジの孔とが合致して形成される合致孔に固定用棒材を嵌挿することでフランジに対して固定し得るように前記足場体を構成したことを特徴とする請求項５記載の足場装置。
【手続補正２】
【補正対象書類名】明細書
【補正対象項目名】全文
【補正方法】変更
【補正の内容】
【発明の詳細な説明】
【技術分野】
【０００１】
本発明は、足場装置に関するものである。
【背景技術】
【０００２】
従来から、消波ブロックを成形する消波ブロック成形用型枠が提案されている。
【０００３】
この消波ブロック成形用型枠１は、図１に図示したように上方突状部１Ａと、この上方突状部１Ａの下方に分岐する３つの下方突状部１Ｂとから成る中空体であり、複数の分割型枠２で構成されており、具体的には、この分割型枠２夫々の端部に突設されるフランジ３同志を重合させ、この重合させたフランジ３夫々に形成される孔４（合致孔）に棒材８を嵌挿させることで分割型枠２同志を連結して消波ブロック成形用型枠１を組み立てることができる。尚、本実施例と同一構成部分には同一符号を付した。
【発明の開示】
【発明が解決しようとする課題】
【０００４】
ところで、従来、この消波ブロック成形用型枠１の型枠組み立て作業及び型枠分解作業は、消波ブロック成形用型枠１の上に直接載って作業を行ったり、図１に図示したように消波ブロック成形用型枠１に立て掛けた梯子30に載って作業を行っている。
【０００５】
しかしながら、いずれの場合も、消波ブロック成形用型枠１は鋼製故に非常に滑り易く危険であり、しかも、作業者はこの点を気にしながらの作業となる為、極めて作業能率が悪い（図１に図示したように梯子30を支える作業者をその都度用意していたのではコスト面に問題点が生じてしまう。）。これは消波ブロック成形用型枠１が大きくなるほど顕著となる。
【０００６】
本出願人等は、前述した問題点に着目し、繰り返し実験・研究を繰り返し行い、その結果、従来にない作用効果を発揮する画期的な足場装置を開発した。
【課題を解決するための手段】
【０００７】
添付図面を参照して本発明の要旨を説明する。
【０００８】
消波ブロック成形用型枠１の周面に形成されるフランジ３に添設され、このフランジ３に設けられる孔４に合致し得る孔５を有する添設部６を有し、この添設部６の孔５とフランジ３の孔４とが合致して形成される合致孔に固定用棒材９を嵌挿することで消波ブロック成形用型枠１に対して固定し得るように構成したことを特徴とする足場装置に係るものである。
【０００９】
また、上方突状部１Ａと、この上方突状部１Ａの下方に分岐する複数の下方突状部１Ｂとから成る消波ブロック成形用型枠１の少なくとも下方突状部１Ｂの上面部に載置される足場体15を設け、この足場体15に、消波ブロック成形用型枠１の周面に形成されるフランジ３に添設され、このフランジ３に設けられる孔４に合致し得る孔５を有する添設部６を設け、この添設部６の孔５とフランジ３の孔４とが合致して形成される合致孔に固定用棒材９を嵌挿することで消波ブロック成形用型枠１に対して固定し得るように前記足場体15を構成したことを特徴とする足場装置に係るものである。
【００１０】
また、前記足場体15は、少なくとも下方突状部１Ｂの上面部に形成されて該下方突状部１Ｂの突出方向に長さを有するフランジ３の上方位置から回避した側方位置に載置されるように構成したことを特徴とする請求項２記載の足場装置に係るものである。
【００１１】
また、前記足場体15は、少なくとも下方突状部１Ｂの上面部に載置される載置部15ａに足載せ部15ｂを多段に並設した構成であり、下方突状部１Ｂの上面部に載置した際、足載せ部15ｂが水平状態となるように前記載置部15ａを構成したことを特徴とする請求項２，３のいずれか１項に記載の足場装置に係るものである。
【００１２】
また、上方突状部１Ａと、この上方突状部１Ａの下方に分岐する複数の下方突状部１Ｂとから成る消波ブロック成形用型枠１の少なくとも下方突状部１Ｂの上面部に載置される足場体17を設け、この足場体17を、下方突状部１Ｂの上面部に形成されて下方突状部１Ｂの突出方向に並列状態となるフランジ３同志間に架設係止し得るように構成したことを特徴とする足場装置に係るものである。
【００１３】
また、前記足場体17に、消波ブロック成形用型枠１の周面に形成されるフランジ３に添設され、このフランジ３に設けられる孔４に合致し得る孔５を有する添設部６を設け、この添設部６の孔５とフランジ３の孔４とが合致して形成される合致孔に固定用棒材９を嵌挿することでフランジ３に対して固定し得るように前記足場体17を構成したことを特徴とする請求項５記載の足場装置に係るものである。
【発明の効果】
【００１４】
本発明は上述のように構成したから、例えば消波ブロック成形用型枠の周辺で行われる作業が安全に且つ能率良く行えるなど極めて商品価値の高い画期的な足場装置となる。
【発明を実施するための最良の形態】
【００１５】
好適と考える本発明の実施形態を、図面に基づいて本発明の作用を示して簡単に説明する。
【００１６】
本発明は、添設部６を消波ブロック成形用型枠１の周面に形成されるフランジ３に添設させ、この添設部６の孔５とフランジ３の孔４との合致孔に固定用棒材９を嵌挿することで消波ブロック成形用型枠１に対して固定することができる。
【００１７】
従って、フランジ３に確実に固定された足場の上で作業が行える故に非常に安全であり、しかも、作業者は安心して作業が行えることになるため、作業能率を飛躍的に向上させることができ、そして更に、消波ブロック成形用型枠１の既存のフランジ３を利用して固定するという効率の良い構造であるから、消波ブロック成形用型枠１への設置作業性が良好なのは勿論、コスト安にして量産性にも秀れることになる。
【実施例１】
【００１８】
本発明の具体的な実施例１について図面に基づいて説明する。
【００１９】
本実施例は、消波ブロック成形用型枠１の型枠組み立て作業，型枠分解作業に使用されるものである。
【００２０】
この消波ブロック成形用型枠１は、前述した周知構造のものであり、円筒状の上方突状部１Ａと、この上方突状部１Ａの下方傾斜方向に分岐する複数（計３つ）の円筒状の下方突状部１Ｂとから成る中空体であり、複数の分割型枠２を組み合わせて構成されており、具体的には、この分割型枠２夫々の端部に突設されるフランジ３同志を重合させ、この重合させたフランジ３夫々に形成される孔４（合致孔）に棒材８を嵌挿させて分割型枠２同志を連結することで消波ブロック成形用型枠１は組み立てられる。尚、分割型枠２の組み合わせる数や形状は消波ブロック成形用型枠１の大きさや形状によって異なる場合がある。
【００２１】
実際にこの消波ブロック成形用型枠１を組み立てる作業は、図２に図示したように予め複数（４つ）の分割型枠２を連結して成る４つの型枠体11（３つの側方型枠体と１つの底型枠体）を得、この４つの型枠体11のうち、内面を上方に向けて敷設状態とした１つの型枠体11（底型枠体）の上部に３つの型枠体11（側方型枠体）をクレーン等で吊って立設状態に組み合わせ、この各型枠体11同志の重合させたフランジ３に棒材８を嵌挿して各型枠体11同志を連結することで行われる。また、この４つの型枠体11を組み合わせた際、消波ブロック成形用型枠１の下方突状部１Ｂの先端部には円形の開口部が形成されることになり、この円形開口部１ａには円形の分割型枠２が連結される。尚、消波ブロック成形用型枠１の上方突状部１Ａの先端部に開口する円形開口部は、消波ブロック成形用型枠１内にコンクリートを充填するコンクリート充填部として開口した状態のままである。
【００２２】
符号13は底型枠体支持用の鋼製ベッドである。
【００２３】
以上のように消波ブロック成形用型枠１は、上方突状部１Ａと、この上方突状部１Ａの下方に分岐する３つの下方突状部１Ｂとから成り、消波ブロック成形用型枠１の周面にはフランジ３が縦横に形成されている。
【００２４】
具体的には、上方突状部１Ａ及び下方突状部１Ｂの周面には、上方突状部１Ａ及び下方突状部１Ｂ夫々の上面（稜線）にして該上方突状部１Ａ及び下方突状部１Ｂ夫々の突出方向に長さを有する縦フランジ３Ａが形成され、また、上方突状部１Ａ及び下方突状部１Ｂ夫々の周面中央位置には、該上方突状部１Ａ及び下方突状部１Ｂ夫々の周方向に長さを有して前記縦フランジ３Ａと直交状態に連設する横フランジ３Ｂが形成され、更に、この上方突状部１Ａ及び下方突状部１Ｂ夫々の周面先端位置には、該上方突状部１Ａ及び下方突状部１Ｂ夫々の周方向に長さを有する補強フランジ３Ｃが形成されており、この補強フランジ３Ｃは、前述した横フランジ３Ｂと上下対向位置にして上方突状部１Ａ及び下方突状部１Ｂ夫々の突出方向に並列状態となるように設定されている。
【００２５】
また、消波ブロック成形用型枠１に形成される各フランジ３には小フランジ３Ｄが一体形成され、この小フランジ３Ｄには、分割型枠２をクレーンで吊る際、クレーンに設けた連結具を連結するための孔４（連結孔）が形成されている。
【００２６】
本実施例は、前述した消波ブロック成形用型枠１を構成する４つの型枠体11の型枠組み立て作業（フランジ３の孔４への棒材８の嵌挿作業），型枠分解作業（フランジ３の孔４に嵌挿される棒材８の除去作業）に使用されるもので、この消波ブロック成形用型枠１に固定し得る足場体を設けている。
【００２７】
具体的には、図３に図示したように消波ブロック成形用型枠１を構成する下方突状部１Ｂの先端部に立て掛け固定される第一足場体14と、下方突状部１Ｂの上面部に載置固定される第二足場体15と、下方突状部１Ｂの上方部位と上方突状部１Ａの下方部位との間に架設状態に立て掛け固定される第三足場体16とで構成されている。
【００２８】
第一足場体14は、図４に図示したように下方突状部１Ｂの先端部に立て掛けし得る基部14ａと、この基部14ａに上下多段に並設される板状の足載せ部14ｂとで構成されている。
【００２９】
また、第一足場体14は、消波ブロック成形用型枠１のフランジ３へ固定するための固定部７が設けられている。
【００３０】
この固定部７は、最上段の足載せ部14ｂの左右両端部に板材を突設し、この板材を前述した補強フランジ３Ｃの小フランジ３Ｄに添設される添設部６とし、この添設部６の孔５と小フランジ３Ｄの孔４とが合致して形成される合致孔に固定用棒材９を嵌挿することで小フランジ３Ｄに対して固定し得るように構成されている。第一足場体14は、この固定用棒材９として、分割型枠２同志を連結する際に使用される棒材８をそのまま転用している。尚、符号10は固定用棒材９を固定する楔部材である。
【００３１】
第二足場体15は、図４に図示したように下方突状部１Ｂの上面部（傾斜面）に載置される載置部15ａと、この載置部15ａの長さ方向に多段に並設される板状の足載せ部15ｂと、載置部の一側に立設される手摺部15ｃとで構成されている。
【００３２】
この第二足場体15は、消波ブロック成形用型枠１の下方突状部１Ｂの上面部に形成されて該下方突状部１Ｂの突出方向に長さを有する縦フランジ３Ａの上方位置から回避した側方所定位置に載置されるように構成されている。
【００３３】
具体的には、この下方突状部１Ｂの縦フランジ３Ａの上方位置から回避した側方所定位置である下り湾曲面に載置部15ａを載置するとともに、後述する固定部７により横フランジ３Ｂの小フランジ３Ｄに固定した際、足載せ部15ｂが水平状態となるよう、載置部15ａの下面が下方突状部１Ｂの傾斜湾曲面の勾配に合致する形状に設定されている（図５参照）。
【００３４】
これは、下方突状部１Ｂの上面部に形成される縦フランジ３Ａの孔４への棒材８の嵌挿作業及び除去作業は、前述した第一足場体14に載って行われるが、下方突状部１Ｂは上方突状部１Ａに向けて上り傾斜し且つ距離があるため全ての部位を第一足場体14上で行うことができない。
【００３５】
よって、後に上方突状部１Ａに形成される縦フランジ３Ａの孔４への棒材８の嵌挿作業及び除去作業を行うための第二足場体15に載って残りの部位に対する作業を行うことになるが、この際、第二足場体15が縦フランジ３Ａの上方位置にあったのでは縦フランジ３Ａの孔４への棒材８の嵌挿作業及び除去作業が困難となってしまう。
【００３６】
そこで、本実施例は、第二足場15を側方所定位置にずらすことにより前述した問題が生じることなく良好に作業が行えることになる。
【００３７】
また、第二足場体15は、消波ブロック成形用型枠１のフランジ３へ固定するための固定部７が設けられている。
【００３８】
この固定部７は、最上段の足載せ部15ｂに板材を突設し、この板材を前述した横フランジ３Ｂの小フランジ３Ｄに添設される添設部６とし、この添設部６の孔５と小フランジ３Ｄの孔４とが合致して形成される合致孔に固定用棒材９を嵌挿することで小フランジ３Ｄに対して固定し得るように構成されている。第二足場体15は、この固定用棒材９として、分割型枠２同志を連結する際に使用される棒材８をそのまま転用している。
【００３９】
第三足場体16は、図４に図示したように上方突状部１Ａの下方部位に立て掛けし得る基部16ａと、この基部16ａに上下多段に並設される板状の足載せ部16ｂとで構成されている。
【００４０】
また、第三足場体16は、消波ブロック成形用型枠１のフランジ３へ固定するための固定部７が設けられている。
【００４１】
この固定部７は、最上段の足載せ部16ｂの左右両端部に板材を突設し、この板材を前述した縦フランジ３Ａに添設される添設部６とし、この添設部６の孔５と縦フランジ３Ａの孔４とが合致して形成される合致孔に固定用棒材９を嵌挿することで小フランジ３Ｄに対して固定し得るように構成されている。第三足場体16は、この固定用棒材９として、分割型枠２同志を連結する際に使用される棒材８をそのまま転用している。
【００４２】
以上の構成からなる本実施例に係る足場装置を使用した消波ブロック成形用型枠１の型枠組み立て作業について説明する。
【００４３】
まず、前述したように４つの型枠体11を組み、下方突状部１Ｂの先端部の円形開口部１ａに分割型枠２を取り付ける。
【００４４】
続いて、第一足場体14を下方突状部１Ｂの先端部に立て掛け固定し、この第一足場体14に載って下方突状部１Ｂの上面下方部位に位置する縦フランジ３Ａの孔４へ棒材８の嵌挿作業を行う。
【００４５】
続いて、第二足場体15を、下方突状部１Ｂの上面部に縦フランジ３Ａの上方位置から回避した側方所定位置に載置固定し、この第二足場体15に載って下方突状部１Ｂの上面上方部位に位置する縦フランジ３Ａの孔４への棒材８の嵌挿作業を行うとともに（図６参照）、上方突状部１Ａの下方部位に位置する縦フランジ３Ａの孔４への棒材８の嵌挿作業を行う。
【００４６】
続いて、第三足場体16を、上方突状部１Ａの下方部位に立て掛け固定し（図７参照）、この第三足場体16に載って上方突状部１Ａの上方部位に位置する縦フランジ３Ａの孔４への棒材８の嵌挿作業を行うことになる（図８参照）。
【００４７】
この要領で消波ブロック成形用型枠１の周面三箇所に形成される縦フランジ３Ａ全てに対して同様の作業を行うことで型枠体11同志の連結が完了する。
【００４８】
尚、この型枠体11の分解作業に際しては組み立て作業時と逆の工程で本装置を使用して作業を行えばよい。
【００４９】
本実施例は上述のように構成したから、フランジ３に確実に固定された足場の上で作業が行える故に非常に安全であり、しかも、作業者は安心して作業が行えることになるため、作業能率を飛躍的に向上させることができ、そして更に、消波ブロック成形用型枠１の既存のフランジ３を利用して固定するという効率の良い構造であるから、消波ブロック成形用型枠１への設置作業性が良好なのは勿論、コスト安にして量産性にも秀れることになる。
【００５０】
また、本実施例は、第一足場体14と、第二足場体15と、第三足場体16との分割された構造であるから、それだけ設置作業性に秀れることになり、しかも、搬送する際にも便利である。
【００５１】
また、本実施例は、第二足場体15は、少なくとも下方突状部１Ｂの上面部に形成されて該下方突状部１Ｂの突出方向に長さを有するフランジ３の上方位置から回避した側方位置に載置されるように構成したから、前述した第一足場体14では作業できなかった部位に対する良好な作業が行なえることになる。
【００５２】
また、本実施例は、第二足場体15は、少なくとも下方突状部１Ｂの上面部に載置される載置部15ａに足載せ部15ｂを多段に並設した構成であり、下方突状部１Ｂの上面部に載置した際、足載せ部15ｂが水平状態となるように載置部15ａを構成したから、より一層安全に作業が行なえることになる。
【実施例２】
【００５３】
本発明の具体的な実施例２について図面に基づいて説明する。
【００５４】
本実施例は、図９〜１３に図示したように上方突状部１Ａと、この上方突状部１Ａの下方に分岐する複数の下方突状部１Ｂとから成る消波ブロック成形用型枠１の少なくとも下方突状部１Ｂの上面に載置される足場体17を設け、この足場体17を、下方突状部１Ｂの上面部に形成されて下方突状部１Ｂの突出方向に並列状態となるフランジ３同志間に架設係止し得るように構成したものである。
【００５５】
具体的には、足場体17は、図９に図示したように下方突状部１Ｂの上面部（傾斜面）に載置される載置部17ａと、この載置部17ａの長さ方向に多段に並設される板状の足載せ部17ｂとで構成されている。
【００５６】
載置部17ａは、下方突状部１Ｂの突出方向に並列状態となる横フランジ３Ｂ及び補強フランジ３Ｃ同志間に架設係止し得る架設棒材からなる係止部18が設けられており、この係止部18は、横フランジ３Ｂ及び補強フランジ３Ｃ夫々の小フランジ３Ｄに横ズレ防止状態で係止し得るように構成されている。
【００５７】
従って、下方突状部１Ｂの上部に載置するだけで消波ブロック成形用型枠１に対して固定されることになり、特に高所作業となる上方突状部１Ａに形成される縦フランジ３Ａの孔４への棒材８の嵌挿作業及び除去作業が良好に行えることになる。
【００５８】
符号19は足場体17へ載るための門型足場である。
【００５９】
その余は実施例１と同様である。
【００６０】
尚、本発明は、実施例１，２に限られるものではなく、各構成要件の具体的構成は適宜設計し得るものである。
【図面の簡単な説明】
【００６１】
【図１】従来から行なわれている作業の説明図である。
【図２】消波ブロック成形用型枠１を説明する分解斜視図である。
【図３】実施例１の説明図である。
【図４】実施例１を示す斜視図である。
【図５】実施例１に係る要部の説明図である。
【図６】実施例１の使用状態説明図である。
【図７】実施例１に係る要部の説明図である。
【図８】実施例１の使用状態説明図である。
【図９】実施例２を示す斜視図である。
【図１０】実施例２の説明図である。
【図１１】実施例２に係る要部の説明図である。
【図１２】実施例２の説明図である。
【図１３】実施例２の使用状態説明図である。
【符号の説明】
【００６２】
１  消波ブロック成形用型枠
１Ａ  上方突状部
１Ｂ  下方突状部
２  分割型枠
３  フランジ
３Ａ  縦フランジ
３Ｂ  横フランジ
３Ｃ  補強フランジ
３Ｄ  小フランジ
４  孔
５  孔
６  添設部
９  固定用棒材
15  足場体
15ａ  載置部
15ｂ  足載せ部
17  足場体